(57)【要約】      （修正有）【課題】指が届かない位置での操作を可能にし、特に親指に装着して利用した場合に誤動作が顕著に少なくなるタッチパネル操作具を提供する。【解決手段】手の指に装着可能な嵌凹部を設けた装着部２と当該装着部の先部に設けた前記装着部よりも外形の小さい延長部３を有し、当該延長部の先端部表面に携帯端末の筐体表面に設けたタッチパネルに接触させる接触部４を設ける。導電性のある素材もしくは導電性を有する素材を混入した弾力性のある素材で作製し、前記装着部と接触部とを電気的に導通させる。【選択図】図１
0003184298.tif 000002
【実用新案登録請求の範囲】
【請求項１】
手の指に装着可能な嵌凹部を設けた装着部と当該装着部の先部に設けた前記装着部よりも外形の小さい延長部を有し、
当該延長部の先端部表面に携帯端末の筐体表面に設けたタッチパネルに接触させる接触部を設けるとともに、
前記装着部と接触部とを電気的に導通させたことを特徴とするタッチパネル操作具。
【請求項２】
手の指に装着可能な嵌凹部を設けた装着部と当該装着部の先部に設けた前記装着部よりも外形の小さい延長部を有し、
当該延長部の先端部表面に携帯端末の筐体表面に設けたタッチパネルに接触させる接触部を設け、
前記装着部若しくは延長部に、動物の顔を模した装飾具を取り付けるとともに、
前記装着部と接触部とを電気的に導通させたことを特徴とするタッチパネル操作具。
【請求項３】
手の指に装着可能な嵌凹部を設けた装着部と当該装着部の先部に設けた前記装着部よりも外形の小さい延長部を有し、
当該延長部の先端部表面に携帯端末の筐体表面に設けたタッチパネルに接触させる接触部を設け、
前記延長部を伸縮可能に形成するとともに、
前記装着部と接触部とを電気的に導通させたことを特徴とするタッチパネル操作具。
【請求項４】
前記接触部は、直径が約５ｍｍ〜６ｍｍの円形若しくは一辺の長さが５ｍｍ〜６ｍｍの矩形であることを特徴とする請求項１乃至３の何れか一項記載のタッチパネル操作具。
【請求項５】
携帯端末が有する音声出力用のソケットに嵌入可能なプラグ型の装着具を設けた細紐状のストラップを取り付けたことを特徴とする請求項１乃至４の何れか一項記載のタッチパネル操作具。
【考案の詳細な説明】
【技術分野】
【０００１】
本考案は、静電容量式のタッチパネルを備えた携帯端末を操作するために使用するタッチパネル操作具に関するものである。
【背景技術】
【０００２】
近年、画面に表示されたアイコンを操作する携帯端末が多く用いられている。これらの携帯端末は、アイコンを表示する画面に静電容量式の検知パネルが内蔵されており、画面を指で触れることによって画面上に表示されたアイコンを選択したり、情報の入力や処理をするものである。また、当該静電容量式のタッチパネル操作器具として特許文献１記載のタッチペンも知られている。
【先行技術文献】
【特許文献】
【０００３】
【特許文献１】特開２０１３−５０９３６号公報
【考案の概要】
【考案が解決しようとする課題】
【０００４】
指が太かったり、指による操作が苦手な利用者にとっては上記タッチペンは便利であるが、片手で携帯端末を持ち他方の手でタッチペンを持つものであるから両手を使用する。一方、現在よく用いられている携帯端末には片手に収まる程度の大きさのものもあり、把持した手の親指でパネル操作を行うこともよく行われる。このような、親指を使用した片手による操作は携帯端末を利用する上で便利であるが、親指が届きにくい位置があり、届いても画面上の広範囲に触れて意図しない操作が行われることもある。また、近年の静電容量式の検知パネルを備えた携帯端末は、誤動作をしないように点のような面積の小さなものによる接触は入力として受け付けず、指先を想定したある程度の面積を有する接触を検知した場合に入力として受け付けるような処理をしている。
本考案は当該事情に鑑み考案されたものであって、上記携帯端末が有する特性を考慮しつつ、誤動作の少ない指による操作入力ができるような器具を提供することを課題とするものである。特に親指に装着して利用した場合に、上記のような誤動作が顕著に少なくなるような器具を提供することを課題とするものである。
【課題を解決するための手段】
【０００５】
上記課題を解決するために、本考案にかかるタッチパネル操作具は以下の構成を有する。すなわち、
手の指に装着可能な嵌凹部を設けた装着部と当該装着部の先部に設けた前記装着部よりも外形の小さい延長部を有し、
当該延長部の先端部表面に携帯端末の筐体表面に設けたタッチパネルに接触させる接触部を設けるとともに、
前記装着部と接触部とを電気的に導通させたことを特徴とする。
【０００６】
また、本考案にかかるタッチパネル操作具は以下の構成を有する。すなわち、
手の指に装着可能な嵌凹部を設けた装着部と当該装着部の先部に設けた前記装着部よりも外形の小さい延長部を有し、
当該延長部の先端部表面に携帯端末の筐体表面に設けたタッチパネルに接触させる接触部を設け、
前記装着部若しくは延長部に、動物の顔を模した装飾具を取り付けるとともに、
前記装着部と接触部とを電気的に導通させたことを特徴とする。
【０００７】
また、本考案にかかるタッチパネル操作具は以下の構成を有する。すなわち、
手の指に装着可能な嵌凹部を設けた装着部と当該装着部の先部に設けた前記装着部よりも外形の小さい延長部を有し、
当該延長部の先端部表面に携帯端末の筐体表面に設けたタッチパネルに接触させる接触部を設け、
前記延長部を伸縮可能に形成するとともに、
前記装着部と接触部とを電気的に導通させたことを特徴とする。
【０００８】
また、本考案にかかるタッチパネル操作具は、上記構成に加えて以下の構成を有する。すなわち、
前記接触部は、直径が約５ｍｍ〜６ｍｍの円形若しくは一辺の長さが５ｍｍ〜６ｍｍの矩形であることを特徴とする。
【０００９】
また、本考案にかかるタッチパネル操作具は、上記構成に加えて以下の構成を有する。すなわち、
携帯端末が有する音声出力用のソケットに嵌入可能なプラグ型の装着具を設けた細紐状のストラップを取り付けたことを特徴とする。
【考案の効果】
【００１０】
本考案にかかるタッチパネル操作具は、携帯端末を把持した手の指に装着することによって、片手で操作できる領域を広範囲に広げることができるという効果を有する。また、装着部よりも外形の小さい延長部を設けることによって、先端に設けた接触部以外の部分における不要な接触を軽減し誤操作を低減することができるという効果を有する。
【図面の簡単な説明】
【００１１】
【図１】本考案にかかるタッチパネル操作具の使用状態を表す説明図である。
【図２】本考案にかかるタッチパネル操作具の一形態を表す説明図である。
【図３】本考案にかかるタッチパネル操作具の他の形態を表す説明図である。
【図４】ストラップを設けたタッチパネル操作具の一例を表す説明図である。
【図５】ストラップを設けたタッチパネル操作具の他の一例を表す説明図である。
【図６】タッチパネル操作具を収容するケースに関する説明図である。
【図７】タッチパネル操作具を収容する他のケースに関する説明図である。
【考案を実施するための形態】
【００１２】
以下、本考案の一例を図を用いて説明する。図１は本発明にかかるタッチパネル操作具（以下「操作具」という）１の使用状態を表している。当該操作具１は、手の親指Ｔに装着される装着部２を有している。装着部２は、指サックのような弾力性のある素材で形成したキャップ状の嵌凹部を有しており、当該嵌凹部に指先を挿入することによって、親指Ｔの先端に嵌め着けることができるように構成されている。
操作具１は、導電性のある素材若しくは導電性を有する素材を混入することによって、全体として導電性を有している。また、前述の通り操作具１は装着部２を有しており、その先に延長部となる小径部３が設けられ、さらにその先端に接触部４が設けられている。
【００１３】
装着部２から小径部３および接触部４に亘る部分は、同一の素材により一体に形成されている。なお、接触部４には、他の素材で形成したものを別途取り付けてもよいが、装着部２に対して電気的に導通可能なものが用いられる。
小径部３は本来接触部となる指先の静電効果を接触部４まで伸ばす延長部であり、一例として弾力性を有するように形成することで、過剰な力が作用した場合に可逆的に変形できるようになっている。
【００１４】
小径部３の先端に設ける接触部４は、携帯端末のタッチパネルに振れる部位であり、当該タッチパネルの表面をスライドさせるあるいはタッチするといった動作を行っても、タッチパネル表面のガラスを傷つけることのない素材が採用される。また、導電性を有する素材であり前述のように装着部２に嵌挿した指と電気的に導通するようになっている。
また、接触部の大きさは、直径が約５ｍｍ〜６ｍｍの円形若しくは一辺の長さが５ｍｍ〜６ｍｍの矩形に形成されている。なお、厳密な円形若しくは矩形であることは必要ではなく、近似した形状であればよい。携帯端末のタッチパネルは、一定の領域に静電容量が高まった場合に、その中心位置付近が選択されたものと判断するようになっている。すなわち、ペン先のような細いものや、面積が広すぎるものを利用しても入力として受け付けないようになっている。接触部４は、入力として判断される（しきい値を超える）携帯端末のタッチパネル上における静電容量の高まりが、概ね約５ｍｍ〜６ｍｍ四方となることを意図して形状と大きさが定められている。
【００１５】
前記小径部３から接触部４に亘る部分は、一例として動物である猫の手を模したデザインとして形成されている。そして、先端の接触部４は、猫の手の先端部分に似せた形態に形成されており、肉球に相当する部位が設けられている。中央の一番大きな肉球７の直径は約５ｍｍ〜６ｍｍであり、他の部位よりも若干突出するように設けられている。
【００１６】
図１は、上記構成の操作具１によって静電容量式のタッチパネルＰを有する携帯端末Ｓを操作する様子を表している。この例は、片手で携帯端末を持ちながら同じ手の親指Ｔでタッチパネル上に表示されているアイコンＩｃを操作する場合であり、親指Ｔの先に前述した構成の操作具１を装着した場合を示している。操作具１の装着部２には指先を挿入する嵌凹部が設けられており、当該嵌凹部に親指Ｔの先をはめ込むことによって指先に固定するようになっている。この際、親指Ｔと操作具１は密着することになり、導電性を有する操作具１によって、電気的な面で親指Ｔの先を延長したのと同様の作用を有することができるものである。
このような作用によって、操作具１先端の接触部４をタッチパネルＰ上に表示されているアイコンＩｃ上に配置することで、当該アイコンＩｃを選択する等の操作することができるようになっている。
【００１７】
図２は、操作具１の外観形状の一例に関する説明図である。
図２（ａ）は、前述した肉球を有する猫の手を模した接触部４を表している。
図２（ｂ）は、装着部２ａおよび小径部３ａを有し、猫の手を模した接触部４ａを有する操作具の一例（１ａ）であって、しっぽをモチーフにしたストラップ用の紐５が装着部２ａに設けられたものを表している。
図２（ｃ）は、装着部２ｃに猫（動物）の顔を模した装飾具６を設けた操作具の一例（１ｃ）であり、しっぽをモチーフにしたストラップ用の紐５ｃを装着部２ｃに設けた例を表している。
図２（ｄ）は、装着部２ｄから小径部３ｄ、先端の接触部４ｄに至るまでを、直線的な尖塔状に形成した操作具１ｄを表している。当該操作具１ｄにも、ストラップ用の紐５ｄが装着部２ｄに設けられている。
【００１８】
図３は、操作具のさらに他の例を表している。
図３に示した操作具１０は、前述したものと同様に指に対する装着部１１を有し、当該装着部１１の先に小径部１２が設けられ、さらにその先端に接触部１３が設けられたものである。装着部１１には、指先を挿入して嵌め付ける嵌凹部が形成されている。操作具１０は導電性の素材によって形成されており、装着部１１から接触部１３までは電気的に導通している。装着部１１を指に装着すると、接触部１３によって静電容量式のタッチパネルＰを操作することができるようになっている。なお、接触部１３を球形に形成する場合には、タッチパネルＰと接触して変形した後の接触部位が前述した直径約５ｍｍ〜６ｍｍとなるような柔軟な素材によって形成するのが望ましい。
【００１９】
また、操作具１０の小径部１２は、外形の異なる複数の筒体を多段式に嵌め合わせた伸縮体として形成されており、伸縮可能な範囲において任意の長さに調節できるようになっている。
なお、小径部１２の伸縮構造は上記構造に限らないものであり、装着部１１と接触部１３が導通する構造であればスクリュー式の伸縮構造や他の構造でも差し支えがないものである。
【００２０】
図４は操作具のさらに他の例を表している。同図に表した操作具２０の主な構成は前述した操作具１と同様である。
図４に示した操作具２０は、先端の接触部２２の近傍に虫あるいは動物の目を模した装飾部２３が設けられている。また、装着部２４の開口端付近には細紐で構成されたストラップ２５が取り付けられている。ストラップ２５の先端には、携帯端末Ｓが有する音声出力用のソケットに嵌入可能なプラグ型の装着具２６が取り付けられている。当該構成の操作具２０は、未使用時に携帯端末Ｓのソケットを利用して吊り下げておくことができ、使用時にはソケットから取り外すことができるようになっている。
【００２１】
図５は操作具のさらに他の例を表している。同図に表した操作具３０の主な構成は前述した操作具１と同様であり、異なる特徴点は装着部３１に首に掛けられる環状のストラップ３２を設けた点である。当該ストラップ３２を利用することにより、未使用時には首から提げて持ち歩くことが出来るものである。
【００２２】
図６（ａ）、図６（ｂ）は、前述した各種の操作具を収容するケース４０の説明図である。
ケース４０は、円筒状の外観を有しており、側面に開閉可能な蓋４１が設けられている。図６（ｂ）は、当該ケース４０の蓋４１を開けた状態を表している。ケース４０は、内部に前述した操作具を収容可能な容積を有した収容部４４を有している。また、末端には、携帯端末Ｓが有する音声出力用のソケットに嵌入可能なプラグ型の装着具４２を設けたストラップ４３が取り付けられている。
【００２３】
図７は、前述した各種の操作具を収容するケースの他の例を表した説明図である。当該ケース５０は、前述したケースと同様に円筒状の外観を有し、開閉する蓋を側面に有し、内部に操作具の収容空間を有している。また、ケース５０には、環状のストラップ５１を有しており、首に掛けることができるようになっている。
【産業上の利用可能性】
【００２４】
本考案に係る操作具は、静電容量式のタッチパネルを操作することができる器具として利用可能である。
【符号の説明】
【００２５】
１  タッチパネル操作具（操作具）
２  装着部
３  小径部
４  接触部
５  ストラップ用の紐
６  装飾具
１０  操作具
１１  装着部
１２  小径部
１３  接触部
【図１】
0003184298.tif 000003
【図２】
0003184298.tif 000004
【図３】
0003184298.tif 000005
【図４】
0003184298.tif 000006
【図５】
0003184298.tif 000007
【図６】
0003184298.tif 000008
【図７】
0003184298.tif 000009